【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
本体部材に画成した物品収納部の開口部を閉成するリッド部材を、本体部材における前記開口部の一側部を支点として開閉すると共に、本体部材における前記開口部を挟んで前記一側部と対向する他側部を支点として開閉するリッド開閉機構において、
前記開口部の一側部に設けた第１ヒンジ部により、前記本体部材に回転可能に支持された第１リッド支持部材と、
前記開口部の他側部に設けた第２ヒンジ部により、前記本体部材に回転可能に支持された第２リッド支持部材と、
前記リッド部材にスライド可能に設けられ、該リッド部材が前記物品収納部を閉成した閉成姿勢において、前記第１ヒンジ部側の第１連結位置と前記第２ヒンジ部側の第２連結位置との間で往復移動可能な移動部材とからなり、
前記移動部材の前記第１連結位置において、移動部材と第１リッド支持部材とを連結すると共に、移動部材と第２リッド支持部材とを分離可能とし、
前記移動部材の前記第２連結位置において、移動部材と第２リッド支持部材とを連結すると共に、移動部材と第１リッド支持部材とを分離可能とするよう構成した
ことを特徴とするリッド開閉機構。
【請求項２】
前記第１リッド支持部材に設けた第１連結部と、
前記第２リッド支持部材に設けた第２連結部と、
前記移動部材に前記第１連結部と対応して設けられ、移動部材の前記第１連結位置において第１連結部に連結すると共に、移動部材の前記第２連結位置において第１連結部と分離する第１係合部と、
前記移動部材に前記第２連結部と対応して設けられ、移動部材の前記第２連結位置において第２連結部に連結すると共に、移動部材の前記第１連結位置において第２連結部と分離する第２係合部とを備えた請求項１記載のリッド開閉機構。
【請求項３】
前記第１リッド支持部材は、前記第１ヒンジ部から前記第２ヒンジ部に向けて前記開口部に沿って延在するよう形成されて、該第１リッド支持部材の延在方向に離間する複数の前記第１連結部を備え、
前記第２リッド支持部材は、前記第２ヒンジ部から前記第１ヒンジ部に向けて前記開口部に沿って延在するよう形成されて、該第２リッド支持部材の延在方向に離間する複数の前記第２連結部を備えた請求項２記載のリッド開閉機構。
【請求項４】
前記第１連結位置と前記第２連結位置との間の前記移動部材の中立位置において、前記第１連結部は前記第１係合部に連結すると共に、前記第２連結部は前記第２係合部に連結する請求項２または３記載のリッド開閉機構。
【請求項５】
前記第１連結部は、前記第１リッド支持部材に前記第１ヒンジ部と反対側へ開口するよう設けた凹状部であり、前記第１係合部は、前記移動部材に前記第１ヒンジ部側へ突出するよう設けた凸状部であり、前記移動部材の前記第１連結位置において相互連結した第１連結部と第１係合部とは、第１リッド支持部材の回転方向での係合が維持されると共に移動部材のスライド方向での移動が許容され、
前記第２連結部は、前記第２リッド支持部材に前記第２ヒンジ部と反対側へ開口するよう設けた凹状部であり、前記第２係合部は、前記移動部材に前記第２ヒンジ部側へ突出するよう設けた凸状部であり、前記移動部材の前記第２連結位置において相互連結した第２連結部と第２係合部とは、第２リッド支持部材の回転方向での係合が維持されると共に移動部材のスライド方向での移動が許容される請求項２〜４の何れか一項に記載のリッド開閉機構。
【請求項６】
前記第１リッド支持部材に、前記第１ヒンジ部による該第１リッド支持部材の回転支点から半径方向外側へ延出するよう設けた第１ロックアーム部と、前記本体部材において前記第１リッド支持部材の回転に伴う前記第１ロックアーム部の回転軌跡上に設けられ、第１ロックアーム部が当接した際に第１リッド支持部材のリッド開放方向への回転を規制する第１回転規制部とを備え、
前記第２リッド支持部材に、前記第２ヒンジ部による該第２リッド支持部材の回転支点から半径方向外側へ延出するよう設けた第２ロックアーム部と、前記本体部材において前記第２リッド支持部材の回転に伴う前記第２ロックアーム部の回転軌跡上に設けられ、第２ロックアーム部が当接した際に第２リッド支持部材のリッド開放方向への回転を規制する第２回転規制部とを備えた請求項１〜５の何れか一項に記載のリッド開閉機構。
【手続補正２】
【補正対象書類名】明細書
【補正対象項目名】００１１
【補正方法】変更
【補正の内容】
【００１１】
請求項４に記載の発明は、前記第１連結位置と前記第２連結位置との間の前記移動部材の中立位置において、前記第１連結部は前記第１係合部に連結すると共に、前記第２連結部は前記第２係合部に連結することを要旨とする。
従って、請求項４に係る発明によれば、移動部材の中立位置において、第１連結部と第１係合部とが連結すると共に第２連結部と第２係合部とが連結しているので、リッド部材を閉成姿勢に保持させ得る。
【手続補正３】
【補正対象書類名】明細書
【補正対象項目名】００１２
【補正方法】変更
【補正の内容】
【００１２】
請求項５に記載の発明は、前記第１連結部は、前記第１リッド支持部材に前記第１ヒンジ部と反対側へ開口するよう設けた凹状部であり、前記第１係合部は、前記移動部材に前記第１ヒンジ部側へ突出するよう設けた凸状部であり、前記移動部材の前記第１連結位置において相互連結した第１連結部と第１係合部とは、第１リッド支持部材の回転方向での係合が維持されると共に移動部材のスライド方向での移動が許容され、
前記第２連結部は、前記第２リッド支持部材に前記第２ヒンジ部と反対側へ開口するよう設けた凹状部であり、前記第２係合部は、前記移動部材に前記第２ヒンジ部側へ突出するよう設けた凸状部であり、前記移動部材の前記第２連結位置において相互連結した第２連結部と第２係合部とは、第２リッド支持部材の回転方向での係合が維持されると共に移動部材のスライド方向での移動が許容されることを要旨とする。
従って、請求項５に係る発明によれば、移動部材を第１連結位置に移動させてリッド部材を第１ヒンジ部を支点として開閉させる際には、第１連結部と第１係合部とが第１リッド支持部材の回転方向での係合が維持されるので、リッド部材が第１リッド支持部材から離間することがない。そして、本体部材に支持されている第２リッド支持部材には、リッド部材との連結に供される第２連結部が突出していないので、物品収納部に対する物品の出し入れを行ない易いと共に、該第２リッド支持部材に袖部分が引っ掛かることもない。一方、移動部材を第２連結位置に移動させてリッド部材を第２ヒンジ部を支点として開閉させる際には、第２連結部と第２係合部とが第２リッド支持部材の回転方向での係合が維持されるので、リッド部材が第２リッド支持部材から離間することがない。そして、本体部材に支持されている第１リッド支持部材には、リッド部材との連結に供される第１連結部が突出していないので、物品収納部に対する物品の出し入れを行ない易いと共に、該第２リッド支持部材に袖部分が引っ掛かることもない。
【手続補正４】
【補正対象書類名】明細書
【補正対象項目名】００１３
【補正方法】変更
【補正の内容】
【００１３】
請求項６に記載の発明は、前記第１リッド支持部材に、前記第１ヒンジ部による該第１リッド支持部材の回転支点から半径方向外側へ延出するよう設けた第１ロックアーム部と、前記本体部材において前記第１リッド支持部材の回転に伴う前記第１ロックアーム部の回転軌跡上に設けられ、第１ロックアーム部が当接した際に第１リッド支持部材のリッド開放方向への回転を規制する第１回転規制部とを備え、
前記第２リッド支持部材に、前記第２ヒンジ部による該第２リッド支持部材の回転支点から半径方向外側へ延出するよう設けた第２ロックアーム部と、前記本体部材において前記第２リッド支持部材の回転に伴う前記第２ロックアーム部の回転軌跡上に設けられ、第２ロックアーム部が当接した際に第２リッド支持部材のリッド開放方向への回転を規制する第２回転規制部とを備えたことを要旨とする。
従って、請求項６に係る発明によれば、第１リッド支持部材に連結支持されて第１ヒンジ部を支点として開放したリッド部材は、該第１リッド支持部材のロックアーム部が第１回転規制部に当接することで、第１ヒンジ部を支点として開放させた際の過開きが防止される。また、第２リッド支持部材に連結支持されて第２ヒンジ部を支点として開放したリッド部材は、該第２リッド支持部材のロックアーム部が第２回転規制部に当接することで、第２ヒンジ部を支点として開放させた際の過開きが防止される。